(57)【要約】【課題】  ＣＡＰＡの有無を検出することにより光ディスクの種類を容易に、且つ、正確に判別することができるようにする。【解決手段】  ディスク装置にローディングされた光ディスクを一定回転数で回転させ、トラッキングサーボＯＦＦ状態でフォーカスサーボをＯＮにして、光ピックアップにより光ディスクから読み出されたＲＦ信号の振幅を所定時間間隔毎に検出し、検出されたＲＦ信号の振幅の最大値が第１の基準レベル以上であり、且つ、ＲＦ信号の振幅の最小値が第２の基準レベル以下であるＲＦ信号の数をＣＡＰＡの検出回数として計数し、光ディスクを所定量回転させて計数されたＣＡＰＡの検出回数が少なくとも所定回数以上であるか否かを判別して光ディスクの種類を判別するようにする。【選択図】        図３
2007058929.tif 000002
【特許請求の範囲】
【請求項１】
光ディスクに記録された情報データを再生するディスク装置であって、
ディスク装置にローディングされた光ディスクを一定回転数で回転させ、トラッキングサーボＯＦＦ状態でフォーカスサーボをＯＮにして、光ピックアップにより光ディスクから読み出されたＲＦ信号の振幅を所定時間間隔毎に検出する信号レベル検出手段と、前記信号レベル検出手段により検出されたＲＦ信号の振幅の最大値が第１の基準レベル以上であり、且つ、ＲＦ信号の振幅の最小値が第２の基準レベル以下であるか否かを判別する第１の判別手段と、前記第１の判別手段が前記信号レベル検出手段により検出されたＲＦ信号の振幅の最大値が第１の基準レベル以上であり、且つ、ＲＦ信号の振幅の最小値が第２の基準レベル以下であると判別した場合、前記信号レベル検出手段により検出された第１の基準レベル以上の振幅のＲＦ信号の数をＣＡＰＡの検出回数として計数する計数手段と、光ディスクが所定量回転したか否かを判別する第２の判別手段と、前記第２の判別手段により光ディスクが所定量回転したと判別されたとき、前記計数手段により計数されたＣＡＰＡの検出回数が少なくとも所定回数以上であるか否かを判別する第３の判別手段と、前記第３の判別手段が前記計数手段により計数されたＣＡＰＡの検出回数が所定回数以上であると判別した場合、ディスク装置にローディングされた光ディスクがＤＶＤ−ＲＡＭの光ディスクであると判別し、前記第３の判別手段が前記計数手段により計数されたＣＡＰＡの検出回数が所定回数以上でないと判別した場合、ディスク装置にローディングされた光ディスクがＤＶＤ−ＲＡＭ以外の光ディスクであると判別する第４の判別手段とを備えたことを特徴とするディスク装置。
【請求項２】
光ディスクに記録された情報データを再生するディスク装置であって、
ディスク装置にローディングされた光ディスクを一定回転数で回転させ、トラッキングサーボＯＦＦ状態でフォーカスサーボをＯＮにして、光ピックアップにより光ディスクから読み出されたＲＦ信号の振幅を所定時間間隔毎に検出する信号レベル検出手段と、前記信号レベル検出手段により検出されたＲＦ信号の振幅の最大値が第１の基準レベル以上であり、且つ、ＲＦ信号の振幅の最小値が第２の基準レベル以下であるか否かを判別する第１の判別手段と、前記第１の判別手段の判別結果に基づいてＣＡＰＡの検出回数を計数する計数手段と、光ディスクが所定量回転したか否かを判別する第２の判別手段と、前記第２の判別手段により光ディスクが所定量回転したと判別されたとき、前記計数手段により計数されたＣＡＰＡの検出回数が少なくとも所定回数以上であるか否かを判別する第３の判別手段と、前記第３の判別手段の判別結果に基づいて光ディスクの種類を判別する第４の判別手段とを備えたことを特徴とするディスク装置。
【請求項３】
前記計数手段は、前記第１の判別手段が前記信号レベル検出手段により検出されたＲＦ信号の振幅の最大値が第１の基準レベル以上であり、且つ、ＲＦ信号の振幅の最小値が第２の基準レベル以下であると判別した場合、前記信号レベル検出手段により検出された第１の基準レベル以上の振幅のＲＦ信号の数をＣＡＰＡの検出回数として計数する計数手段であることを特徴とする請求項２記載のディスク装置。
【請求項４】
前記第４の判別手段は、前記第３の判別手段が前記計数手段により計数されたＣＡＰＡの検出回数が所定回数以上であると判別した場合、ディスク装置にローディングされた光ディスクがＤＶＤ−ＲＡＭの光ディスクであると判別する判別手段であることを特徴とする請求項２記載のディスク装置。
【請求項５】
前記第４の判別手段は、前記第３の判別手段が前記計数手段により計数されたＣＡＰＡの検出回数が所定回数以上でないと判別した場合、ディスク装置にローディングされた光ディスクがＤＶＤ−ＲＡＭ以外の光ディスクであると判別する判別手段であることを特徴とする請求項２記載のディスク装置。
【発明の詳細な説明】
【技術分野】
【０００１】
本発明は、ＤＶＤ（Ｄｉｇｉｔａｌ  Ｖｅｒｓａｔｉｌｅ  Ｄｉｓｋ）等の光ディスクに記録された情報データを再生するディスク装置に係り、特に光ディスクの種類を容易に、且つ、正確に判別することができるディスク装置に関する。
【背景技術】
【０００２】
近年、情報データを記録再生する記録媒体として、記録容量の大きい光ディスクが利用されるようになってきている。書き換え可能な光ディスクには、ＣＤ−ＲＷ（Ｃｏｍｐａｃｔ  Ｄｉｓｋ−ＲｅＷｒｉｔａｂｌｅ）、ＤＶＤ−ＲＷ（ＲｅＷｒｉｔａｂｌｅ）等の他に、ＤＶＤ−ＲＡＭ（Ｒａｎｄｏｍ  Ａｃｃｅｓｓ  Ｍｅｍｏｒｙ）がある。しかし、ＤＶＤ−ＲＡＭは、他の光ディスクとはフォーマットが異なっていて、ＣＡＰＡ（Ｃｏｍｐｌｉｍｅｎｔａｒｙ  Ａｌｌｏｃａｔｅｄ  Ｐｉｔ  Ａｄｄｒｅｓｓ）とデータ記録エリアとがセクタ毎に設けられていて、データ記録エリアはウォブル状のグルーブとランドとで形成され、ＣＡＰＡにはグルーブ又はランドに対して１／２トラックずらした位置に交互にアドレスピットが予め記録されているため（図２参照）、ＤＶＤ−ＲＡＭに記録された情報データを再生する場合、ディスク装置の信号処理をそのフォーマットに合わせる必要がある。そのため、ディスク装置にローディングされた光ディスクがＤＶＤ−ＲＡＭであるか、ＤＶＤ−ＲＡＭ以外の光ディスクであるかを判別しなければならず、光ディスクに記録された情報データを再生するまでの時間を短縮することができないという問題点があった。
背景技術としては、光ピックアップをフォーカス方向にスイープさせて、光ピックアップが受光した反射光の全反射加算信号のピーク値とボトム値とを検出し、アドレスピットの有無を判断して光ディスクの種類を判別するようにしたものがあった（例えば、特許文献１参照）。
また、光ピックアップが受光した反射光の全反射加算信号を２値化し、２値化された信号の出力の回数又は間隔からアドレスピットの有無を検出して、アドレスピットの有無により光ディスクの種類を判別するようにしたものがあった（例えば、特許文献２参照）。
また、光ディスクから読み出したＲＦ信号からエンベロープ信号を検出し、トラッキングＯＦＦ状態で、検出されたエンベロープ信号の振幅を検出して、検出された振幅を利用して光ディスクの種類を判別するようにしたものがあった（例えば、特許文献３参照）。
また、フォーカスサーチレベルから光ディスクが特定種類に属する光ディスクであるか否かを判別し、更に、フォーカスエラー信号レベルから光ディスクの種類を判別するようにしたものがあった（例えば、特許文献４参照）。
【特許文献１】特開２００５−３８５１４号公報
【特許文献２】特開２００４−４６９７７号公報
【特許文献３】特開２０００−２８５５８２号公報
【特許文献４】特開２０００−３１５３５５号公報
【発明の開示】
【発明が解決しようとする課題】
【０００３】
しかしながら、背景技術で述べたもののうち最初のものにおいては、光ピックアップをフォーカス方向にスイープさせて、光ピックアップが受光した反射光の全反射加算信号のピーク値とボトム値とを検出し、アドレスピットの有無を判断して光ディスクの種類を判別することができたが、光ディスクの停止中の全反射加算信号のピーク値とボトム値との差分量からアドレスピットの有無を判別する基準レベルを決定して、光ディスクの回転中の全反射加算信号のピーク値とボトム値との差分量が基準レベル以上である場合に、アドレスピットを有する光ディスクであると判別するようにしたものであり、光ディスクにキズや汚れがある場合、キズや汚れのある箇所からの反射光の全反射加算信号のピーク値とボトム値との差分量から誤った基準レベルが決定されるという問題点があった。
また、次のものにおいては、光ピックアップが受光した反射光の全反射加算信号を２値化し、２値化された信号の出力の回数又は間隔からアドレスピットの有無を検出して、アドレスピットの有無により光ディスクの種類を判別することができたが、アドレスピットを検出できるレベルで全反射加算信号を２値化して、２値化された信号のパルスの数と間隔を計測して、光ディスクの一周におけるアドレスピットの個数と間隔から予め設定されたアドレスピットの有無を判定するようにしたものであって、ＤＶＤ−ＲＡＭの場合、セクタ数が光ディスクの内周側と外周側とで異なり、検出されるアドレスピットの個数が光ディスクの半径位置毎に異なるため、光ディスクの半径位置毎にアドレスピットの個数を判別しなければならないという問題点があった。
また、更にその次のものにおいては、光ディスクから読み出したＲＦ信号からエンベロープ信号を検出し、トラッキングＯＦＦ状態で、検出されたエンベロープ信号の振幅を検出して、検出された振幅を利用して光ディスクの種類を判別することができたが、ＲＦ信号から検出されたエンベロープ信号の振幅をＲＦ信号の振幅が異なる光ディスクを区別するための第１、第２の基準レベルとを比較して、光ディスクの種類を判別するようにしたものであって、光ディスクからの反射光の光量が少なく、検出されたＲＦ信号が小さい場合、光ディスクの種類を正確に判別することが困難であるという問題点があった。
また、更にその次のものにおいては、フォーカスサーチレベルから光ディスクが特定種類に属する光ディスクであるか否かを判別し、更に、フォーカスエラー信号レベルから光ディスクの種類を判別することができたが、フォーカスゼロクロス位置で検出されたフォーカスサーチ信号の振幅レベルにより光ディスクを区分し、更に、フォーカスエラー信号レベルから光ディスクの種類を判別するようにしたものであって、光ディスクからの反射光の光量が少ない場合、光ディスクの種類を正確に判別することが困難であるという問題点があった。
本発明は、背景技術の有するこのような問題点に鑑みてなされたものであり、その目的とするところは、ＣＡＰＡの有無を検出することにより光ディスクの種類を容易に、且つ、正確に判別することができるディスク装置を提供しようとするものである。
【課題を解決するための手段】
【０００４】
上記目的を達成するため本発明においては、光ディスクに記録された情報データを再生するディスク装置であって、ディスク装置にローディングされた光ディスクを一定回転数で回転させ、トラッキングサーボＯＦＦ状態でフォーカスサーボをＯＮにして、光ピックアップにより光ディスクから読み出されたＲＦ信号の振幅を所定時間間隔毎に検出する信号レベル検出手段と、前記信号レベル検出手段により検出されたＲＦ信号の振幅の最大値が第１の基準レベル以上であり、且つ、ＲＦ信号の振幅の最小値が第２の基準レベル以下であるか否かを判別する第１の判別手段と、前記第１の判別手段の判別結果に基づいてＣＡＰＡの検出回数を計数する計数手段と、光ディスクが所定量回転したか否かを判別する第２の判別手段と、前記第２の判別手段により光ディスクが所定量回転したと判別されたとき、前記計数手段により計数されたＣＡＰＡの検出回数が少なくとも所定回数以上であるか否かを判別する第３の判別手段と、前記第３の判別手段の判別結果に基づいて光ディスクの種類を判別する第４の判別手段とを備える。
前記計数手段は、前記第１の判別手段が前記信号レベル検出手段により検出されたＲＦ信号の振幅の最大値が第１の基準レベル以上であり、且つ、ＲＦ信号の振幅の最小値が第２の基準レベル以下であると判別した場合、前記信号レベル検出手段により検出された第１の基準レベル以上の振幅のＲＦ信号の数をＣＡＰＡの検出回数として計数するようにするとよい。
前記第４の判別手段は、前記第３の判別手段が前記計数手段により計数されたＣＡＰＡの検出回数が所定回数以上であると判別した場合、ディスク装置にローディングされた光ディスクがＤＶＤ−ＲＡＭの光ディスクであると判別するようにするとよい。
また、前記第４の判別手段は、前記第３の判別手段が前記計数手段により計数されたＣＡＰＡの検出回数が所定回数以上でないと判別した場合、ディスク装置にローディングされた光ディスクがＤＶＤ−ＲＡＭ以外の光ディスクであると判別するようにするとよい。
これらの手段により、ＣＡＰＡの有無を検出することにより光ディスクの種類を容易に、且つ、正確に判別することができる。
【発明の効果】
【０００５】
請求項１記載の発明に係るディスク装置によれば、ディスク装置にローディングされた光ディスクを一定回転数で回転させ、トラッキングサーボＯＦＦ状態でフォーカスサーボをＯＮにして、光ピックアップにより光ディスクから読み出されたＲＦ信号の振幅を所定時間間隔毎に検出し、検出されたＲＦ信号の振幅の最大値が第１の基準レベル以上であり、且つ、ＲＦ信号の振幅の最小値が第２の基準レベル以下であるか否かを判別して、検出されたＲＦ信号の振幅の最大値が第１の基準レベル以上であり、且つ、ＲＦ信号の振幅の最小値が第２の基準レベル以下であると判別された場合、検出された第１の基準レベル以上の振幅のＲＦ信号の数をＣＡＰＡの検出回数として計数し、光ディスクが所定量回転したか否かを判別して、光ディスクが所定量回転したと判別されたとき、計数されたＣＡＰＡの検出回数が少なくとも所定回数以上であるか否かを判別し、計数されたＣＡＰＡの検出回数が所定回数以上であると判別された場合、ディスク装置にローディングされた光ディスクがＤＶＤ−ＲＡＭの光ディスクであると判別し、計数されたＣＡＰＡの検出回数が所定回数以上でないと判別された場合、ディスク装置にローディングされた光ディスクがＤＶＤ−ＲＡＭ以外の光ディスクであると判別するようにしているので、ＣＡＰＡの有無を検出することにより光ディスクの種類を容易に、且つ、正確に判別することができる。
請求項２記載の発明に係るディスク装置によれば、ディスク装置にローディングされた光ディスクを一定回転数で回転させ、トラッキングサーボＯＦＦ状態でフォーカスサーボをＯＮにして、光ピックアップにより光ディスクから読み出されたＲＦ信号の振幅を所定時間間隔毎に検出し、検出されたＲＦ信号の振幅の最大値が第１の基準レベル以上であり、且つ、ＲＦ信号の振幅の最小値が第２の基準レベル以下であるか否かを判別して、その判別結果に基づいてＣＡＰＡの検出回数を計数し、光ディスクが所定量回転したか否かを判別して、光ディスクが所定量回転したと判別されたとき、計数されたＣＡＰＡの検出回数が少なくとも所定回数以上であるか否かを判別し、その判別結果に基づいて光ディスクの種類を判別するようにしているので、ＣＡＰＡの有無を検出することにより光ディスクの種類を容易に、且つ、正確に判別することができる。
請求項３記載の発明に係るディスク装置によれば、検出されたＲＦ信号の振幅の最大値が第１の基準レベル以上であり、且つ、ＲＦ信号の振幅の最小値が第２の基準レベル以下であると判別された場合、検出された第１の基準レベル以上の振幅のＲＦ信号の数をＣＡＰＡの検出回数として計数するようにしているので、ＣＡＰＡの有無を検出することにより光ディスクの種類を容易に、且つ、正確に判別することができる。
請求項４記載の発明に係るディスク装置によれば、計数されたＣＡＰＡの検出回数が所定回数以上であると判別された場合、ディスク装置にローディングされた光ディスクがＤＶＤ−ＲＡＭの光ディスクであると判別するようにしているので、ＣＡＰＡの有無を検出することにより光ディスクの種類を容易に、且つ、正確に判別することができる。
請求項５記載の発明に係るディスク装置によれば、計数されたＣＡＰＡの検出回数が所定回数以上でないと判別された場合、ディスク装置にローディングされた光ディスクがＤＶＤ−ＲＡＭ以外の光ディスクであると判別するようにしているので、ＣＡＰＡの有無を検出することにより光ディスクの種類を容易に、且つ、正確に判別することができる。
【発明を実施するための最良の形態】
【０００６】
以下、適宜図面を参照しながら本発明を実施するための最良の形態を詳述する。図１は本発明の一実施例のディスク装置の構成を示すブロック図であり、図２はＤＶＤ−ＲＡＭのＣＡＰＡ、データ記録エリアを示す模式図であり、図３は本発明の一実施例のディスク装置の光ディスクの判別動作を説明する図であり、図４は本発明の一実施例のディスク装置の光ディスクの判別動作を示すフローチャートである。
まず、図１の本発明の一実施例のディスク装置の構成を示すブロック図を基に説明する。
ディスク装置１は、光ディスク２にレーザ光を照射してその反射光を検出し、光ディスク２に記録されている情報データを読み出す光ピックアップ３と、光ディスク２を回転させるスピンドルモータ４と、スピンドルモータ４の回転速度をサーボ制御するスピンドルサーボ回路５と、光ピックアップ３を光ディスク２の半径方向に移動させるスレッドモータ６と、スレッドモータ６の回転方向と回転速度とをサーボ制御するスレッドサーボ回路７と、光ピックアップ３により検出されたトラッキング誤差信号に基づいて光ピックアップ３のトラッキングをサーボ制御するトラッキングサーボ回路８と、光ピックアップ３により検出されたフォーカス誤差信号に基づいて光ピックアップ３のフォーカスをサーボ制御するフォーカスサーボ回路９と、光ピックアップ３により光ディスク２から読み出された情報データのＲＦ（Ｒａｄｉｏ  Ｆｒｅｑｕｅｎｃｙ）信号を増幅するＲＦ増幅回路１０と、ＲＦ増幅回路１０により増幅されたＲＦ信号の振幅の最大値と最小値とを検出する信号レベル検出回路１１と、ＣＡＰＡ（Ｃｏｍｐｌｉｍｅｎｔａｒｙ  Ａｌｌｏｃａｔｅｄ  Ｐｉｔ  Ａｄｄｒｅｓｓ）の検出回数を計数するカウンタ１２と、ディスク装置１のシステム全体を制御するマイコン１３と、信号レベル検出回路１１により検出されたＲＦ信号の振幅の最大値と最小値とを保存するメモリ１４とで構成されている。
以上のように構成されたディスク装置について、以下その動作について説明する。
光ディスク２がディスク装置１にローディングされると、マイコン１３は、スピンドルサーボ回路５に制御信号を送出して、スピンドルモータ４を駆動して光ディスク２を一定回転数で回転させ、フォーカスサーボ回路９に制御信号を送出して、光ピックアップ３のフォーカスサーボをＯＮにし、トラッキングサーボがＯＦＦ状態で、信号レベル検出回路１１により光ピックアップ３により光ディスク２から読み出されたＲＦ信号振幅を所定時間間隔毎、例えば、ＤＶＤ−ＲＡＭの最内周でのセクタ数が２５の場合、Ｔ／２５時間間隔毎（Ｔ：光ディスクの回転周期）に検出し（図３（ａ）、（ｂ）参照）、信号レベル検出回路１１により検出されたＲＦ信号の振幅の最大値と最小値とをメモリ１４に保存する。
マイコン１３は、メモリ１４に保存されているＲＦ信号の振幅の最大値が所定基準レベルα以上であり、且つ、ＲＦ信号の振幅の最小値が所定基準レベルβ以下である否かを判別し、ＲＦ信号の振幅の最大値が所定基準レベルα以上であり、且つ、ＲＦ信号の振幅の最小値が所定基準レベルβ以下である場合（図３（ａ）、（ｂ）参照）、カウンタ１２に制御信号を送出して、ＣＡＰＡの検出回数に１を加算する。光ディスク２がＤＶＤ−ＲＡＭである場合、アドレスピットがあるＣＡＰＡでは、光ディスク２からの反射光のＲＦ信号の振幅が所定基準レベルα以上になり、アドレスピットがないデータ記録エリアでは、光ディスク２からの反射光のＲＦ信号の振幅が所定基準レベルβ以下になり、所定時間間隔毎にＣＡＰＡの検出回数が少なくとも１回加算される（図３（ａ）参照）。また、光ディスク２がＤＶＤ−ＲＡＭ以外の光ディスクである場合、光ディスク２のキズや汚れ等により光ディスク２からの反射光のＲＦ信号の振幅がノイズにより所定基準レベルα以上になっても、所定時間間隔毎にＣＡＰＡの検出回数が加算されない（図３（ｂ）参照）。
マイコン１３は、光ディスク２が所定量、例えば、１回転したか否かを判別して、光ディスクが所定量回転した場合、カウンタ１２により計数されたＣＡＰＡの検出回数が少なくとも所定回数以上、例えば、光ディスク２が１回転したときに、ＤＶＤ−ＲＡＭの最内周でのセクタ数が２５の場合、ＣＡＰＡが少なくとも２５回以上検出されたか否かを判別し、ＣＡＰＡが所定回数以上検出された場合、ディスク装置１にローディングされた光ディスク２がＤＶＤ−ＲＡＭの光ディスクであると判別する。また、ＣＡＰＡが所定回数以上検出されない場合、マイコン１３は、ディスク装置１にローディングされた光ディスク２がＤＶＤ−ＲＡＭ以外の光ディスクであると判別する。これにより、光ディスクのＣＡＰＡの検出回数を判別して、光ディスクの種類を容易に、且つ、正確に判別することができる。
また、図４の本発明の一実施例のディスク装置の光ディスクの判別動作を示すフローチャートを基に説明する。
光ディスクがディスク装置にローディングされると、ステップＳ１からステップＳ２に進み、ステップＳ２で、光ディスクが一定回転数で回転され、トラッキングサーボがＯＦＦ状態で、光ピックアップのフォーカスサーボがＯＮにされて、ステップＳ３に進む。
ステップＳ３で、所定時間間隔毎にＲＦ信号の振幅の最大値と最小値とが検出され、所定時間間隔毎に検出されたＲＦ信号の振幅の最大値と最小値とがメモリに保存されて、ステップＳ４に進む。
ステップＳ４で、メモリに保存されているＲＦ信号の振幅の最大値が所定基準レベルα以上であるか否かが判断され、ＲＦ信号の振幅の最大値が所定基準レベルα以上である場合、ステップＳ５に進み、ＲＦ信号の振幅の最大値が所定基準レベルα以上でない場合、ステップＳ７に進む。
ステップＳ５で、メモリに保存されているＲＦ信号の振幅の最小値が所定基準レベルβ以下であるか否かが判断され、ＲＦ信号の振幅の最小値が所定基準レベルβ以下である場合、ステップＳ６に進み、ＲＦ信号の振幅の最小値が所定基準レベルβ以下でない場合、ステップＳ７に進む。
ステップＳ６で、ＣＡＰＡの検出回数に１が加算されて、ステップＳ７に進む。
ステップＳ７で、光ディスクが所定量回転したか否かが判断され、光ディスクが所定量回転した場合、ステップＳ８に進み、光ディスクが所定量回転していない場合、ステップＳ３に戻って、ステップＳ３からのステップを繰り返す。
ステップＳ８で、ＣＡＰＡの検出回数が所定回数以上であるか否かが判断され、ＣＡＰＡの検出回数が所定回数以上である場合、ステップＳ９に進み、ＣＡＰＡの検出回数が所定回数以上でない場合、ステップＳ１０に進む。
ステップＳ９で、ディスク装置にローディングされた光ディスクがＤＶＤ−ＲＡＭの光ディスクであると判別され、ステップＳ１１に進んで処理を終了する。
ステップＳ１０で、ディスク装置にローディングされた光ディスクがＤＶＤ−ＲＡＭ以外の光ディスクであると判別され、ステップＳ１１に進んで処理を終了する。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例のディスク装置の構成を示すブロック図である。
【図２】ＤＶＤ−ＲＡＭのＣＡＰＡ、データ記録エリアを示す模式図である。
【図３】本発明の一実施例のディスク装置の光ディスクの判別動作を説明する図である。
【図４】本発明の一実施例のディスク装置の光ディスクの判別動作を示すフローチャートである。
【符号の説明】
【０００８】
１  ディスク装置
２  光ディスク
３  光ピックアップ
４  スピンドルモータ
５  スピンドルサーボ回路
６  スレッドモータ
７  スレッドサーボ回路
８  トラッキングサーボ回路
９  フォーカスサーボ回路
１０  ＲＦ増幅回路
１１  信号レベル検出回路
１２  カウンタ
１３  マイコン
１４  メモリ
【図１】
2007058929.tif 000003
【図２】
2007058929.tif 000004
【図３】
2007058929.tif 000005
【図４】
2007058929.tif 000006